(57)【要約】【課題】前部座席の搭乗者がメッセージを伝えることにより後部座席の視聴者の後席搭乗者の視聴が一旦中断されてしまった場合でも、容易に見逃した画面に遡って視聴する。【解決手段】車両の前部座席の搭乗者が、リアモニタの視聴者に対するメッセージの通知時に、映像コンテンツの再生位置を記憶し（ステップＳ３）、視聴者が前記記憶された再生位置まで巻き戻し可能とする（ステップＳ１０）。【選択図】図２
2011105244.tif 000002
【特許請求の範囲】
【請求項１】
車両の後部座席に設けたリアモニタにより映像コンテンツを視聴可能に再生する車載再生システムであって、
前記車両の前部座席の搭乗者が、前記リアモニタの視聴者に対するメッセージを送るための操作を行う操作手段と、
前記映像コンテンツを再生中に、前記操作手段の操作に応じて前記メッセージを前記リアモニタを介して前記視聴者に通知するメッセージ通知手段と、を備え、
前記リアモニタへの前記メッセージの通知時に、前記映像コンテンツの再生位置を記憶する位置記憶手段を有し、
前記視聴者が前記記憶された再生位置まで巻き戻し可能としたことを特徴とする車載再生システム。
【請求項２】
請求項１記載の車載再生システムにおいて、
前記視聴者の指示により前記記憶された再生位置まで巻き戻した後、再生を開始する再生制御手段を備えたことを特徴とする車載再生システム。
【請求項３】
請求項１または請求項２記載の車載再生システムにおいて、
前記メッセージ通知手段は、前記映像コンテンツを再生中に、前記操作手段の操作に応じて前記メッセージを前記リアモニタに表示することを特徴とする車載再生システム。
【請求項４】
請求項１ないし請求項３のいずれかに記載の車載再生システムにおいて、
前記リアモニタの視聴者は、前記映像コンテンツに対応する音声をヘッドフォン装置により聴取しており、
前記メッセージ通知手段は、前記ヘッドフォン装置を介して前記メッセージを音声により通知する、
ことを特徴とする車載再生システム。
【請求項５】
車両の後部座席に設けたリアモニタにより映像コンテンツを視聴可能に再生するとともに、前記車両の前部座席の搭乗者が、前記リアモニタの視聴者に対するメッセージを送るための操作を行う操作装置を備えた車載再生システムの制御方法であって、
前記映像コンテンツを再生中に、前記操作手段の操作に応じて前記メッセージを前記リアモニタを介して前記視聴者に通知するメッセージ通知過程と、
前記リアモニタへの前記メッセージの通知時に、前記映像コンテンツの再生位置を記憶する位置記憶過程と、
前記視聴者の指示により、前記記憶された再生位置まで巻き戻し後、再生を開始する再生制御過程と、
を備えたことを特徴とする車載再生システムの制御方法。
【請求項６】
車両の後部座席に設けたリアモニタにより映像コンテンツを視聴可能に再生するとともに、前記車両の前部座席の搭乗者が、前記リアモニタの視聴者に対するメッセージを送るための操作を行う操作装置を備えた車載再生システムをコンピュータにより制御する制御プログラムであって、
前記コンピュータを、
前記映像コンテンツを再生中に、前記操作手段の操作に応じて前記メッセージを前記リアモニタを介して前記視聴者に通知するメッセージ通知手段、
前記リアモニタへの前記メッセージの通知時に、前記映像コンテンツの再生位置を記憶する位置記憶手段、
前記視聴者の指示により、前記記憶された再生位置まで巻き戻し後、再生を開始する再生制御手段、
として機能させることを特徴とする制御プログラム。
【発明の詳細な説明】
【技術分野】
【０００１】
本発明は、車載再生システム、車載再生システムの制御方法及び制御プログラムに係り、特に車両の後部座席（リアシート）に配置されたリアモニタにより映画、ビデオなどの映像コンテンツを再生して視聴する車載再生システム、車載再生システムの制御方法及び制御プログラムに関する。
【背景技術】
【０００２】
近年、リアシートエンターテイメントシステムが普及している。
リアシートエンターテイメントシステムは、車両の後部座席にモニタ（リアモニタ）などを配備して、後部座席側の同乗者が映画やＴＶ番組等の映像コンテンツを視聴出来るようにしたものである。
このようなリアシートエンターテイメントシステムにおいては、映像コンテンツ再生時の音声が前部座席側の運転者の邪魔にならないように、一般的にヘッドフォンを装着して視聴するようにされていた。
【０００３】
ところが、従来のリアシートエンターテイメントシステムでは、後部座席の視聴者はヘッドフォンを装着し、かつ、モニタ画面に夢中になっているために、前部座席側の運転者が後部座席の視聴者に話しかけても聞こえない場合があった。
これを改善するために、特許文献１記載の技術は、予め記憶させておいた画像情報または音声情報を、前席搭乗者の操作により映像コンテンツの再生を行っているリアモニタの表示画面、あるいは、ヘッドフォンの少なくとも一方にメッセージ情報が割り込み出力される。
これにより後都座席の視聴者がヘッドフォンを装着している場合でも、後部座席の視聴者に注意を促すことができ確実にメッセージを伝えることが出来るとされている。
【先行技術文献】
【特許文献】
【０００４】
【特許文献１】特開２００６−１５１０６５号公報
【発明の概要】
【発明が解決しようとする課題】
【０００５】
ところで、特許文献１記載の技術では、前部座席搭乗者のメッセージ（意志）を後部座席の視聴者に伝えることはできるが、メッセージによっては前部座席搭乗者と後部座席の視聴者とが会話をすることが必要になる場合があり、後部座席の視聴者の視聴を一旦中断させることになり、大事な場面を見逃してしまう可能性があった。
このような場合、巻き戻しサーチ機能によって画面を見ながら見逃した場面まで戻して再度視聴を行うのが一般的であるが、この場合には見逃した場面を見つけるまで画面を見ながら巻き戻しボタンを押す必要があり、希望の画面を見つけるのが難しく非常に手間の掛かる操作を行わなければならないという問題があった。
そこで、本発明の目的は、前部座席の搭乗者がメッセージを伝えることにより後部座席の視聴者の後席搭乗者の視聴が一旦中断されてしまった場合でも、容易に見逃した画面に遡って視聴することが可能な車載再生システム、車載再生システムの制御方法及び制御プログラムを提供することにある。
【課題を解決するための手段】
【０００６】
上記目的を達成するために、本発明の第１の態様は、車両の後部座席に設けたリアモニタにより映像コンテンツを視聴可能に再生する車載再生システムであって、前記車両の前部座席の搭乗者が、前記リアモニタの視聴者に対するメッセージを送るための操作を行う操作手段と、前記映像コンテンツを再生中に、前記操作手段の操作に応じて前記メッセージを前記リアモニタを介して前記視聴者に通知するメッセージ通知手段と、を備え、前記リアモニタへの前記メッセージの通知時に、前記映像コンテンツの再生位置を記憶する位置記憶手段を有し、前記視聴者が前記記憶された再生位置まで巻き戻し可能としたことを特徴としている。
【０００７】
上記構成によれば、操作手段により車両の前部座席の搭乗者が、リアモニタの視聴者に対するメッセージを送るための操作を行うと、メッセージ通知手段は、映像コンテンツを再生中に、操作手段の操作に応じてメッセージをリアモニタを介して視聴者に通知する。
このとき、再生位置記憶手段は、リアモニタへのメッセージの通知時に、映像コンテンツの再生位置を記憶し、この結果、視聴者は、記憶された再生位置まで巻き戻し可能となる。
したがって、視聴が一旦中断されてしまった場合でも、容易に見逃した画面に遡って視聴することが容易となる。
【０００８】
本発明の第２態様は、第１態様において、前記視聴者の指示により前記記憶された再生位置まで巻き戻した後、再生を開始する再生制御手段を備えたことを特徴としている。
上記構成によれば、再生制御手段は、視聴者の指示により記憶された再生位置まで巻き戻した後、再生を開始する。
したがって、視聴を中断された視聴者は、指示を行うだけで見逃した画面に遡って視聴することができる。
【０００９】
本発明の第３態様は、第１態様または第２態様において、前記メッセージ通知手段は、前記映像コンテンツを再生中に、前記操作手段の操作に応じて前記メッセージを前記リアモニタに表示することを特徴としている。
上記構成によれば、映像コンテンツを再生中に、操作手段の操作に応じてメッセージがリアモニタに表示されるので、前部座席の搭乗者は、確実に後部座席の視聴者にメッセージを伝えることができる。
【００１０】
本発明の第４態様は、第１態様乃至第３態様のいずれかにおいて、前記リアモニタの視聴者は、前記映像コンテンツに対応する音声をヘッドフォン装置により聴取しており、前記メッセージ通知手段は、前記ヘッドフォン装置を介して前記メッセージを音声により通知する、ことを特徴としている。
上記構成によれば、リアモニタの視聴者は、メッセージが通知される際には、映像コンテンツの音声を聴取しているヘッドフォン装置を介して音声によるメッセージが通知されるので、確実にメッセージを受け取ることが可能となる。
【００１１】
本発明の第５態様は、車両の後部座席に設けたリアモニタにより映像コンテンツを視聴可能に再生するとともに、前記車両の前部座席の搭乗者が、前記リアモニタの視聴者に対するメッセージを送るための操作を行う操作装置を備えた車載再生システムの制御方法であって、前記映像コンテンツを再生中に、前記操作手段の操作に応じて前記メッセージを前記リアモニタを介して前記視聴者に通知するメッセージ通知過程と、前記リアモニタへの前記メッセージの通知時に、前記映像コンテンツの再生位置を記憶する位置記憶過程と、前記視聴者の指示により、前記記憶された再生位置まで巻き戻し後、再生を開始する再生制御過程と、を備えたことを特徴としている。
上記記構成によれば、視聴者の指示により記憶された再生位置まで巻き戻した後、再生を開始するので、視聴を中断された視聴者は、指示を行うだけで見逃した画面に遡って視聴することができる。
【００１２】
本発明の第６態様は、車両の後部座席に設けたリアモニタにより映像コンテンツを視聴可能に再生するとともに、前記車両の前部座席の搭乗者が、前記リアモニタの視聴者に対するメッセージを送るための操作を行う操作装置を備えた車載再生システムをコンピュータにより制御する制御プログラムであって、前記コンピュータを、前記映像コンテンツを再生中に、前記操作手段の操作に応じて前記メッセージを前記リアモニタを介して前記視聴者に通知するメッセージ通知手段、前記リアモニタへの前記メッセージの通知時に、前記映像コンテンツの再生位置を記憶する位置記憶手段、前記視聴者の指示により、前記記憶された再生位置まで巻き戻し後、再生を開始する再生制御手段、として機能させることを特徴としている。
【００１３】
上記記構成によれば、視聴者の指示により記憶された再生位置まで巻き戻した後、再生を開始するので、視聴を中断された視聴者は、指示を行うだけで見逃した画面に遡って視聴することができる。
【発明の効果】
【００１４】
本発明によれば、前部座席の搭乗者がメッセージを伝えることにより後部座席の視聴者の後席搭乗者の視聴が一旦中断されてしまった場合でも、容易に見逃した画面に遡って視聴できるという効果を奏する。
【図面の簡単な説明】
【００１５】
【図１】実施形態の車載システムの全体構成を示すブロック図である。
【図２】第１実施形態の動作フローチャートである。
【図３】メッセージ割込時のリアモニタの表示画面の表示例の説明図である。
【図４】巻き戻し再生動作の説明図である。
【図５】第２実施形態の動作フローチャートである。
【発明を実施するための形態】
【００１６】
以下、図面を参照して本発明の好適な実施形態について説明する。
図１は、実施形態の車載システムの全体構成を示すブロック図である。
図示しない車両に搭載された車載システム１００は、大別すると、オーディオ・ビジュアル再生機能を有するとともに、車両の経路案内を行う車両用ナビゲーション装置２００と、後部座席側の搭乗者に対して、映像コンテンツの表示、音声出力などを行うリアシートエンターテイメント装置３００と、を備えている。
【００１７】
車両用ナビゲーション装置２００は、大別すると、車両走行状態検出部１、地図データ入力部６、操作入力部７、記憶部８、ＤＶＤプレーヤ装置２０、入力レベル検出器１０、音声認識制御部１１、音声出力制御部１２、映像処理部１３、音声処理部１４、音声入力装置（マイク）５、前席モニタ（前席表示手段）１６、音声出力装置（スピーカ）１７、これらの接続された制御部９を備えている。
車両走行状態検出部１は、地磁気の向きを検出して車両の進行方向を検出する地磁気センサ２と、車両の角速度を検出して車両の傾きを検出するジャイロセンサ３と、車両の走行距離を検出する距離センサ４と、ＧＰＳ衛星から測位用のＧＰＳ測位電波を受信して、車両の絶対位置（緯度、経度、高度など）および走行速度を検出するＧＰＳ受信機５と、を備えている。
【００１８】
地図データ入力部６は、ＤＶＤなどの光ディスク記録媒体、メモリカードなどの半導体記憶装置、あるいは、インターネットなどの通信ネットワークを介して地図データを入力する。
【００１９】
操作入力部７は、各種押しボタンスイッチやタッチパネルとして構成され、ユーザが各種操作を行う。
記憶部８は、ハードディスクドライブ、メモリカードなどとして構成されており、映像コンテンツを含む各種データを更新可能に記憶している。
制御部９は、制御部９を中枢的に制御するＣＰＵ９１と、ＣＰＵ９１が実行する制御プログラム等の各種データを不揮発的に記憶するＲＯＭ９２と、各種データを一時的に格納するＲＡＭ９３と、制御部９に接続された各部との間の通信インタフェース動作を行うＩ／Ｏ部９４及びＣＰＵ９１の制御下でメッセージ割込などの各種割り込み処理を制御する割り込み制御部９５を備えている。
入力レベル検出器１０は、音声入力装置１５から入力された音声の入力レベルを検出し、所定基準入力レベル以上の入力レベルを有する音声が入力された場合に、その旨を制御部に出力する。
【００２０】
音声認識制御部１１は、音声入力装置１５から入力された音声の認識を行い、認識結果を制御部９に出力する。
音声出力制御部１２は、後部座席ヘッドフォン１９に出力するメッセージ音声の出力を制御する。
映像処理部１３は、フロントモニタ１６及びリアモニタ１８に表示する映像の処理を行う。
【００２１】
音声処理部１４は、前部座席に配置された音声出力装置（スピーカ）１７および後部座席ヘッドフォン１９に出力する音声の処理を行う。
音声入力装置（マイク）１５は、前部座席側に配置され、前部座席の搭乗者が車両用ナビゲーション装置２００を制御するための音声コマンドの入力や、後部座席の視聴者に対するメッセージなどの音声を入力するためのものである。
フロントモニタ１６は、経路案内を行うナビゲーション画面やメッセージ入力などを行う各種操作画面を表示する。
【００２２】
音声出力装置（スピーカ）１７は音声処理部が出力した音声信号の増幅などを行ってスピーカから音響信号として出力する。
ＤＶＤプレーヤ装置２０は、映像コンテンツを含む各種データをＤＶＤから再生する。
また、リアシートエンターテイメント装置３００は、映像コンテンツの表示及び前部座席から通知されたメッセージの表示を行うためのリアモニタ１８と、後部座席の視聴者が映像コンテンツの音声を聴取するための後部座席ヘッドフォン１９を備えている。
【００２３】
ここで、各部の概要動作について説明する。
まず、車両用ナビゲーション装置２００がナビゲーション動作を行う場合の動作について説明する。
まず、車両走行状態検出部１の地磁気センサ２は、地磁気の向きを検出して車両の進行方向を検出して車両進行方向検出データをＩ／Ｏ部９４を介して制御部９のＣＰＵ９１に通知する。
【００２４】
同様に、ジャイロセンサ３は、車両の角速度を検出して車両の傾き（車両の進行方向も含む）を検出し、車両傾きデータをＩ／Ｏ部９４を介して制御部９のＣＰＵ９１に通知する。
距離センサ４は、車両から走行パルスが入力され、走行パルスをカウントして車両の走行距離を検出し、走行距離データをＩ／Ｏ部９４を介して制御部９のＣＰＵ９１に通知する。
ＧＰＳ受信機５は、複数のＧＰＳ衛星から測位用のＧＰＳ測位電波を受信できる状況においては、車両の絶対位置（緯度、経度、高度など）および走行速度を検出し、ＧＰＳ測位データをＩ／Ｏ部９４を介して制御部９のＣＰＵ９１に通知する。
【００２５】
これらにより、ＣＰＵ９１は、地図データ入力部６から入力された地図データを参照し、車両の現在位置及びナビゲーション画像（経路案内画像）を映像処理部１３を介してフロントモニタ１６の表示画面に表示させる。
これと並行して、ＣＰＵ９１は、経路案内音声がある場合には音声処理部１４を介して音声出力装置から経路案内音声を出力させる。
これらの結果、車両の運転者は、フロントモニタ１６の表示画面に表示された経路案内画像および音声出力装置１７から出力される経路案内音声に基づいて、目的地までの運転を行うこととなる。
【００２６】
次にリアシートエンターテイメント装置３００において映像コンテンツを再生する場合の動作について説明する。
映像コンテンツは、記憶部８あるいはＤＶＤプレーヤ装置２０において再生されるＤＶＤに記憶あるいは記録されており、これらの映像コンテンツに対応するデータは、制御部９のＩ／Ｏ部９４を介して制御部９に出力され、制御部９は、その内容に応じて映像処理部１３に映像信号を出力し、音声処理部１４に音声信号を出力する。
この結果、リアモニタ１８には、映像コンテンツに対応する映像が表示され、後部座席ヘッドフォンから映像コンテンツに対応する音声が出力され、後部座席の視聴者は映像コンテンツを楽しむことが可能となる。
【００２７】
続いて、後部座席の視聴者が映像コンテンツを視聴している状況において、前部座席の搭乗者が、メッセージを後部座席の視聴者に伝えるメッセージ割込を行う場合の動作について説明する。
前部座席の搭乗者は、メッセージを後部座席の視聴者に伝えたいと考えた場合には、操作入力部７を操作して既存メッセージからいずれかを選択して確定したり、あるいは、新規メッセージを作成して確定したり、音声入力装置１５を介して音声メッセージを入力したりする。
これにより、制御部９のＣＰＵ９１は、割り込み制御部９５を制御し、リアシートエンターテイメント装置３００に対してメッセージ割込を行わせる。
この結果、リアモニタ１８にメッセージが表示されたり、後部座席ヘッドフォンの映像コンテンツに対応する音声の音量が下げられて、音声メッセージが出力されたりすることとなる。
【００２８】
そして、この場合には、出力されたメッセージに対応する処理が終了した、後部座席の視聴者が、巻き戻し再生指示を行うと、メッセージ割込時まで、映像コンテンツの巻き戻しを行い、当該位置から再生を再開することとなる。
したがって、後部座席の視聴者は、メッセージ割込に対応したとしても、自分（達）が視聴していた映像コンテンツの視聴への影響を低減した状態で続きから視聴することができる。
【００２９】
次に実施形態のメッセージ割込における詳細動作を説明する。
図２は、実施形態の動作フローチャートである。
以下の説明においては、映像コンテンツとして、ＤＶＤプレーヤ装置２０により、ＤＶＤを再生し、後部座席の搭乗者がリアシートエンターテイメント装置３００により視聴している場合について説明する。
【００３０】
まず、後部座席の搭乗者が、ＤＶＤプレーヤ装置２０によりＤＶＤを再生することにより映画等の映像コンテンツを視聴している場合には（ステップＳ１）、制御部９は、前部座席側の搭乗者が操作入力部７あるいは音声入力装置１５を介して後部座席搭乗者ヘメッセージを送信するための操作を行うことにより、割り込み制御部９５によるメッセージ送信命令、すなわち、メッセージ割り込みが発生したか否かを判別する（ステップＳ２）。
ステップＳ２の判別において、メッセージ割り込みが発生しなかった場合には（ステップＳ２；Ｎｏ）、処理を再びステップＳ１に移行し、ＤＶＤの再生及び視聴を継続する。
【００３１】
ステップＳ２の判別において、メッセージ送信命令の割り込みが発生した場合には（ステップＳ２；Ｙｅｓ）、制御部９のＣＰＵ９１は、割り込み発生時点におけるＤＶＤの再生位置（ＤＶＤの再生経過時刻など）を巻き戻し再生基準位置としてＲＡＭ９３に記憶する（ステップＳ３）。
続いてＣＰＵ９１は、リアシートエンターテイメント装置３００側でメッセージを受信する設定となっているか否かを判別する（ステップＳ４）。
【００３２】
ステップＳ４の判別において、リアシートエンターテイメント装置３００側でメッセージ（メッセージ送信命令）を受信する設定となっている場合には（ステップＳ４；Ｙｅｓ）、当該メッセージに音声が含まれているか否かを判別する（ステップＳ５）。
ステップＳ５の判別において、メッセージに音声が含まれている場合には（ステップＳ５；Ｙｅｓ）、ＣＰＵ９１は、音声処理部１４を制御して後部座席ヘッドフォン１９における映像コンテンツに対応する音量を低下させるとともに（ステップＳ６）、メッセージ音声を出力させ（ステップＳ７）、処理をステップＳ８に移行する。
【００３３】
図３は、メッセージ割込時のリアモニタの表示画面の表示例の説明図である。
ステップＳ５の判別において、メッセージに音声が含まれていない場合には（ステップＳ５；Ｎｏ）、図３に示すように、リアモニタ１８の表示画面１８Ａのメッセージ表示領域１８Ｂにメッセージを表示するとともに、巻き戻し再生基準位置に対応するＤＶＤの再生位置に巻き戻して再生を行わせるための「一発巻き戻し」ボタン１８Ｃを表示する（ステップＳ８）。
【００３４】
なお、図３においては、映像コンテンツ表示領域１８Ｄとメッセージ表示領域１８Ｂとは重なっていないが、より後部座席の視聴者の注意喚起を促すために映像コンテンツ表示領域１８Ｄにメッセージ表示領域１８Ｂを重ねて表示するように構成することも可能である。
続いてＣＰＵ９１は、リアモニタ１８の表示画面上の「一発巻き戻し」ボタン１８Ｃが押し下げられたか否かを判別する（ステップＳ９）。この場合において、表示画面１８Ａには、操作入力部７としてのタッチパネルが配置されているものとする。
ステップＳ９の判別において、「一発巻き戻し」ボタン１８Ｃが押し下げられていない場合には（ステップＳ９；Ｎｏ）、処理をステップＳ１１に移行する。
【００３５】
ステップＳ９の判別において、「一発巻き戻し」ボタンが押し下げられている場合には（ステップＳ９；Ｙｅｓ）、巻き戻し再生基準位置を基準として再生開始位置をＤＶＤプレーヤ装置２０に設定する（ステップＳ１０）。この場合において、「一発巻き戻し」ボタン１８Ｃの押し下げ回数に応じて、再生開始位置を変更するようにすることも可能である。
【００３６】
図４は、巻き戻し再生動作の説明図である。
具体的には、時刻ｔ１において、メッセージ割込がなされ、再生位置の記憶がなされた状態で、時刻ｔ２において、「一発巻き戻し」ボタン１８Ｃが１回押し下げられる動作ＯＰ１が行われた場合には、ＲＡＭ９３に記憶した再生位置（メッセージ割込時の再生位置）を、巻き戻し再生開始位置として巻き戻しＲＷを行い、巻き戻し再生ＲＰＬＹを行う。
【００３７】
また、時刻ｔ２において、「一発巻き戻し」ボタン１８Ｃが２回押し下げられる動作ＯＰ２が行われた場合には、ＲＡＭ９３に記憶した再生位置（メッセージ割込時の再生位置）からさらに予め設定した秒数（ｔｃｏｎｓｔ）に相当する再生時間だけ戻した位置を、巻き戻し再生開始位置として巻き戻しＲＷを行い、巻き戻し再生ＲＰＬＹを行う。
さらに、時刻ｔ２において、「一発巻き戻し」ボタン１８Ｃが３回押し下げられる動作ＯＰ３が行われた場合には、ＲＡＭ９３に記憶した再生位置（メッセージ割込時の再生位置）からさらに予め設定した秒数（ｔｃｏｎｓｔ）×２に相当する再生時間だけ戻した位置を、巻き戻し再生開始位置として巻き戻しＲＷを行い、巻き戻し再生ＲＰＬＹを行う。
【００３８】
さらにまた、時刻ｔ２において、「一発巻き戻し」ボタン１８Ｃがｎ回（ｎは、４以上の整数）押し下げられた場合には、ＲＡＭ９３に記憶した再生位置（メッセージ割込時の再生位置）から予め設定した秒数（ｔｃｏｎｓｔ）×（ｎ−１）だけ遡った位置を、巻き戻し再生開始位置として巻き戻しＲＷを行い、巻き戻し再生ＲＰＬＹを行う。
したがって、本実施形態によれば、前席搭乗者からのメッセージ割り込みにより大事な場面を見逃した場合であっても、「一発巻き戻し」ボタンを１回以上押すだけでメッセージ割り込み発生地点より戻って再生を行わせることができ、後部座席の搭乗者である視聴者にとって容易に巻き戻し再生が行え、利便性が向上する。
【００３９】
［２］第２実施形態
以上の第１実施形態は、予め定められたメッセージを前部座席の搭乗者が選択するものであったが、本第２実施形態は、前部座席の搭乗者が音声によるメッセージを伝える場合の実施形態である。
まず、後部座席の搭乗者が、ＤＶＤを再生することにより映画等の映像コンテンツを視聴している場合には（ステップＳ２１）、制御部９は、前部座席側の搭乗者がメッセージを発話し（ステップＳ２２）、入力レベル検出器１０による検出結果に基づいて当該メッセージ発話の音量レベルが判定レベルを超えているか否かを判別する（ステップＳ２３）。
【００４０】
ステップＳ２３の判別において、当該メッセージ発話の音量レベルが判定レベル以下である場合には（ステップＳ２３；Ｎｏ）、処理を再びステップＳ２１に移行し、ＤＶＤの再生及び視聴を継続する。
ステップＳ２３の判別において、当該メッセージ発話の音量レベルが判定レベルを超えている場合には（ステップＳ２３；Ｙｅｓ）、制御部９のＣＰＵ９１は、割り込み発生時点におけるＤＶＤの再生位置（ＤＶＤの再生経過時刻など）を巻き戻し再生基準位置としてＲＡＭ９３に記憶する（ステップＳ２４）。
【００４１】
続いてＣＰＵ９１は、音声処理部１４を制御し、後部座席ヘッドフォンに出力している映像コンテンツの音量を低下させる（ステップＳ２５）。
次にメッセージ音声を所定の音量で後部座席ヘッドフォンに音声出力する（ステップＳ２６）。
続いてＣＰＵ９１は、リアモニタ１８の表示画面上の「一発巻き戻し」ボタン１８Ｃが押し下げられたか否かを判別する（ステップＳ２７）。
【００４２】
ステップＳ２７の判別において、「一発巻き戻し」ボタン１８Ｃが押し下げられていない場合には（ステップＳ２７；Ｎｏ）、処理をステップＳ２９に移行する。
ステップＳ２７の判別において、「一発巻き戻し」ボタン１８Ｃが押し下げられている場合には（ステップＳ２７；Ｙｅｓ）、巻き戻し再生基準位置を基準として再生開始位置をＤＶＤプレーヤ装置２０に設定する（ステップＳ２８）。この場合において、第１実施形態で説明したように、「一発巻き戻し」ボタンの押し下げ回数に応じて、再生開始位置を変更するようにすることも可能である。
【００４３】
したがって、本第２実施形態によれば、前席搭乗者からのメッセージ割り込みにより大事な場面を見逃した場合であっても、「一発巻き戻し」ボタン１８Ｃを１回以上押すだけでメッセージ割り込み発生地点より戻って再生を行わせることができ、後部座席の搭乗者である視聴者にとって利便性が向上する。
【００４４】
以上の説明のように、各実施形態によれば、前部座席の搭乗者がメッセージを伝えることにより後部座席の視聴者の後席搭乗者の視聴が一旦中断されてしまった場合でも、容易に見逃した画面に遡って視聴でき、後部座席の視聴者の使い勝手が向上する。
以上の説明では、巻き戻し再生を行う場合に、「一発巻き戻し」ボタン１８Ｃの押し下げ回数が増す毎に一定時間だけ巻き戻し再生開始位置を遡るようにしていたが、押し下げ回数に応じて徐々に再生開始位置がより遡るように構成する（例えば、指数関数的に巻き戻し量が増加）ことも可能である。
【符号の説明】
【００４５】
１００  車載システム
２００  車両用ナビゲーション装置
３００  リアシートエンターテイメント装置
８  記憶部
９  制御部
１０  入力レベル検出器
１２  音声出力制御部
１３  映像処理部
１４  音声処理部
１５  音声入力装置
１６  フロントモニタ
１７  音声出力装置
１８  リアモニタ
１８Ａ  表示画面
１８Ｂ  メッセージ表示領域
１８Ｃ  ボタン
１８Ｄ  映像コンテンツ表示領域
１９  後部座席ヘッドフォン
２０  ＤＶＤプレーヤ装置
ＲＰＬＹ  再生
【図１】
2011105244.tif 000003
【図２】
2011105244.tif 000004
【図３】
2011105244.tif 000005
【図４】
2011105244.tif 000006
【図５】
2011105244.tif 000007